(57)【要約】【課題】供給者の意図を反映させたコンテンツを電子商店街で提供すること。【解決手段】本願にかかる配信装置は、所定の取引対象を供給する供給者から、第１コンテンツを受付ける受付部と、所定の販売者により電子商店街に出品された取引対象のうち前記第１コンテンツと関連する取引対象を示す情報が配置された第２コンテンツとともに表示されるコンテンツとして、前記第１コンテンツを配信する配信部とを有することを特徴とする。【選択図】図１
2018194972.tif 000002
【特許請求の範囲】
【請求項１】
所定の取引対象を供給する供給者から、第１コンテンツを受付ける受付部と、
所定の販売者により電子商店街に出品された取引対象のうち前記第１コンテンツと関連する取引対象を示す情報が配置された第２コンテンツとともに表示されるコンテンツとして、前記第１コンテンツを配信する配信部と
を有することを特徴とする配信装置。
【請求項２】
前記配信部は、前記第２コンテンツとともに前記供給者と対応するコンテンツに配置されるコンテンツとして、前記第１コンテンツを配信する
ことを特徴とする請求項１に記載の配信装置。
【請求項３】
前記配信部は、前記電子商店街に出品された取引対象のうち前記第１コンテンツと関連する取引対象として前記電子商店街を運営する運営者により選択された取引対象を示す選定コンテンツとともに表示されるコンテンツとして、前記第１コンテンツを配信する
ことを特徴とする請求項１または２に記載の配信装置。
【請求項４】
前記配信部は、前記電子商店街に出品された取引対象のうち前記第１コンテンツと関連する取引対象として検索された取引対象を示す検索コンテンツとともに表示されるコンテンツとして、前記第１コンテンツを配信する
ことを特徴とする請求項１〜３のうちいずれか１つに記載の配信装置。
【請求項５】
前記配信部は、前記第１コンテンツを前記第２コンテンツよりも優先的に表示されるコンテンツとして配信する
ことを特徴とする請求項１〜４のうちいずれか１つに記載の配信装置。
【請求項６】
前記配信部は、前記第１コンテンツと前記第２コンテンツとが配置されるコンテンツのうち、配信時に表示される範囲に配置されるコンテンツとして、前記第１コンテンツを配信する
ことを特徴とする請求項５に記載の配信装置。
【請求項７】
前記配信部は、前記第１コンテンツと前記第２コンテンツとが配置されるコンテンツのうち、配信時に表示される範囲よりも表示サイズが大きい態様で、前記第１コンテンツを配信する
ことを特徴とする請求項５または６に記載の配信装置。
【請求項８】
前記配信部は、前記第１コンテンツが表示された際に利用者が所定の操作を行った場合には、前記第２コンテンツが表示されるように、前記第１コンテンツを配信する
ことを特徴とする請求項５〜７のうちいずれか１つに記載の配信装置。
【請求項９】
前記配信部は、利用者が所定の操作を行うまでは前記第１コンテンツのみを表示し、当該利用者が所定の操作を行った場合には、前記第２コンテンツを表示するように、前記第１コンテンツを配信する
ことを特徴とする請求項５〜８のうちいずれか１つに記載の配信装置。
【請求項１０】
前記受付部は、複数の第１コンテンツを受付けし、
前記配信部は、前記複数の第１コンテンツのうち、配信先となる利用者の属性に応じて選択された第１コンテンツを配信する
ことを特徴とする請求項１〜９のうちいずれか１つに記載の配信装置。
【請求項１１】
前記配信部は、前記第２コンテンツとして、前記電子商店街に出品された取引対象のうち前記第１コンテンツと関連する取引対象であって、配信先となる利用者の属性に応じて選択された取引対象を示す情報が配置された第２コンテンツを配信する
ことを特徴とする請求項１〜１０のうちいずれか１つに記載の配信装置。
【請求項１２】
前記受付部は、複数の第１コンテンツを受付し、
前記配信部は、カルーセル表示されるコンテンツとして、前記複数の第１コンテンツを配信する
ことを特徴とする請求項１〜１１のうちいずれか１つに記載の配信装置。
【請求項１３】
前記配信部は、前記複数の第１コンテンツのうち画面上に表示された第１コンテンツと関連する取引対象を示す情報が配置された第２コンテンツを取得して表示する情報表示装置に対し、前記複数の第１コンテンツを配信する
ことを特徴とする請求項１２に記載の配信装置。
【請求項１４】
配信装置が実行する配信方法であって、
所定の取引対象を供給する供給者から、第１コンテンツを受付ける受付工程と、
所定の販売者により電子商店街に出品された取引対象のうち前記第１コンテンツと関連する取引対象を示す情報が配置された第２コンテンツとともに表示されるコンテンツとして、前記第１コンテンツを配信する配信工程と
を含むことを特徴とする配信方法。
【請求項１５】
所定の取引対象を供給する供給者から、第１コンテンツを受付ける受付手順と、
所定の販売者により電子商店街に出品された取引対象のうち前記第１コンテンツと関連する取引対象を示す情報が配置された第２コンテンツとともに表示されるコンテンツとして、前記第１コンテンツを配信する配信手順と
をコンピュータに実行させるための配信プログラム。
【発明の詳細な説明】
【技術分野】
【０００１】
本発明は、配信装置、配信方法および配信プログラムに関する。
【背景技術】
【０００２】
従来、各種商品や役務等の取引対象を販売する販売者から取引対象の販売に関するコンテンツの登録を受付けると、受付けたコンテンツを利用者に提供し、利用者から取引対象の購入を受付ける電子商店街の技術が知られている。このような技術の一例として、取引対象に対して販売者が予め設定する費用の額に応じた優先度で、取引対象の販売に関するコンテンツを配信する技術が知られている。
【先行技術文献】
【特許文献】
【０００３】
【特許文献１】特開２０１７−５００００２号公報
【発明の概要】
【発明が解決しようとする課題】
【０００４】
しかしながら、上記の従来技術では、商品を製造する製造者や役務を実際に利用者へ提供する供給者等、取引対象を販売者に供給する供給者の意図を反映させたコンテンツを電子商店街で提供しているとは言い難い。
【０００５】
本願は、上記に鑑みてなされたものであって、供給者の意図を反映させたコンテンツを電子商店街で提供することを目的とする。
【課題を解決するための手段】
【０００６】
本願にかかる配信装置は、所定の取引対象を供給する供給者から、第１コンテンツを受付ける受付部と、所定の販売者により電子商店街に出品された取引対象のうち前記第１コンテンツと関連する取引対象を示す情報が配置された第２コンテンツとともに表示されるコンテンツとして、前記第１コンテンツを配信する配信部とを有することを特徴とする。
【発明の効果】
【０００７】
実施形態の一態様によれば、供給者の意図を反映させたコンテンツを電子商店街で提供することができる。
【図面の簡単な説明】
【０００８】
【図１】図１は、実施形態に係る情報提供装置が実行する処理の一例を示す図である。
【図２】図２は、実施形態に係る情報提供装置の構成例を示す図である。
【図３】図３は、実施形態に係る取引対象データベースに登録される情報の一例を示す図である。
【図４】図４は、実施形態に係る供給者コンテンツデータベースに登録される情報の一例を示す図である。
【図５】図５は、実施形態に係る端末装置の構成例を示す図である。
【図６】図６は、実施形態に係る供給者ページの表示例を示す第１の図である。
【図７】図７は、実施形態に係る供給者ページの表示例を示す第２の図である。
【図８】図８は、実施形態に係る情報提供装置が実行する配信処理の流れの一例を示すフローチャートである。
【図９】図９は、実施形態に係る端末装置が実行する配信処理の流れの一例を示すフローチャートである。
【図１０】図１０は、ハードウェア構成の一例を示す図である。
【発明を実施するための形態】
【０００９】
以下に、本願にかかる配信装置、配信方法および配信プログラムを実施するための形態（以下、「実施形態」と記載する。）について図面を参照しつつ詳細に説明する。なお、この実施形態により本願にかかる配信装置、配信方法および配信プログラムが限定されるものではない。また、以下の各実施形態において同一の部位には同一の符号を付し、重複する説明は省略される。
【００１０】
〔１．情報提供装置の一例〕
まず、図１を用いて、配信装置の一例である情報提供装置１０が実行する配信処理の一例について説明する。図１は、実施形態に係る情報提供装置が実行する処理の一例を示す図である。なお、図１に示す例では、電子商店街に関するサービスを提供する際において実行される配信処理の一例について説明する。
【００１１】
例えば、図１に示す例では、情報提供装置１０は、ＬＡＮ（Local  Area  Network）やインターネット等の所定のネットワークＮ（例えば、図２を参照。）を介して、端末装置１００、供給者端末２００、販売者端末３００、若しくは図示を省略した任意のサーバ装置と通信可能な情報処理装置であり、例えば、サーバ装置やクラウドシステム等により実現される。なお、情報提供装置１０は、ネットワークＮを介して、任意の数の端末装置１００、供給者端末２００、および販売者端末３００と通信可能であってよい。
【００１２】
ここで、情報提供装置１０は、端末装置１００を利用する利用者Ｕに対し、電子商取引（EC:  Electronic  Commerce）に関する各種のサービスを提供する。例えば、情報提供装置１０は、電子商店街に出品された商品や役務等の取引対象を紹介するコンテンツ、取引対象を購入するためのコンテンツ等、電子商取引に関するコンテンツを端末装置１００に提供することで、ネットワークＮを介した取引対象の売買を実現する。
【００１３】
端末装置１００は、スマートフォンやタブレット等のスマートデバイス、ＰＣ（Personal  Computer）等の情報処理装置により実現され、３Ｇ（Generation）やＬＴＥ（Long  Term  Evolution）等の無線通信網を介して、ネットワークＮに接続し、情報提供装置１０や図示を省略した任意のサーバ装置と通信を行うことができる携帯端末装置である。また、端末装置１００は、液晶ディスプレイ等の画面を有し、任意のコンテンツを表示するとともに、マウスやトラックパッド、タッチパネル等とった入力デバイスを介して、利用者からの操作を受付けることが可能である。
【００１４】
供給者端末２００は、取引対象の供給者が使用する情報処理装置であり、ＰＣやサーバ装置等により実現される。ここで、取引対象の供給者とは、例えば、取引対象である商品を製造する製造者（所謂メーカー）、商品の輸入代理店、中間販売業者等を含む概念であり、電子商店街に商品を出品することで利用者Ｕに商品を販売する販売者に対して商品を供給する各種の事業者を含む概念である。また、供給者とは、ホテルや旅館等の宿泊事業者、エステや美容整形等といった役務を利用者Ｕに対して提供する事業者であり、電子商店街を介して利用者Ｕに役務を受ける権利が販売された場合に、利用者Ｕに対して実際に役務を提供する事業者を含む概念である。
【００１５】
販売者端末３００は、取引対象を電子商店街に出品することで、利用者Ｕに取引対象を販売する販売者が利用する情報処理装置であり、ＰＣやサーバ装置などにより実現される。例えば、販売者端末３００は、取引対象を紹介するコンテンツや取引対象の価格等を情報提供装置１０に登録することで、取引対象を電子商店街に出品する。
【００１６】
〔１−２．配信処理について〕
ここで、電子商店街においては、様々な手法で取引対象に関するコンテンツが利用者Ｕに対して提供される。例えば、情報提供装置１０は、利用者Ｕが入力した検索クエリを受付けると、検索クエリと対応する取引対象を検索し、検索した取引対象の説明文、取引対象を販売する電子商店街の店舗名、取引対象の価格等といった取引対象を示すコンテンツであって、対応する取引対象を販売するコンテンツへとリンクが設定された取引対象コンテンツを生成する。そして、情報提供装置１０は、利用者Ｕの属性、各店舗の人気度、価格等に基づく順序で取引対象コンテンツを並べた検索結果を生成し、生成した検索結果を端末装置１００へと配信する。
【００１７】
また、電子商店街においては、利用者Ｕからカテゴリの選択を受付けると、受付けたカテゴリに属する取引対象の取引対象コンテンツを並べたコンテンツを提供する場合がある。このようなカテゴリには、ファッションや飲食料といった取引対象の属性だけではなく、取引対象のブランドやメーカー等、取引対象の供給者が採用される場合がある。このように、取引対象の供給者がカテゴリとして選択された場合は、情報提供装置１０は、電子商店街に出品された取引対象のうち、選択された供給者が販売者に供給する取引対象の取引対象コンテンツや、選択された供給者についての説明が配置されたコンテンツを供給者ページとして生成し、生成した供給者ページを配信する。
【００１８】
ここで、電子商店街においては、販売者が設定した取引対象の説明文や価格が採用される。このため、販売者と供給者とが異なる場合、電子商店街を介した取引対象の売買において、供給者が利用者Ｕに対して伝えたい情報（例えば、商品の特性やブランドイメージ）が必ずしも伝わっているとは言えない場合があった。
【００１９】
そこで、情報提供装置１０は、以下の配信処理を実行する。まず、情報提供装置１０は、所定の取引対象を供給する供給者から、第１コンテンツを受付ける。そして、情報提供装置１０は、所定の販売者により電子商店街に出品された取引対象のうち第１コンテンツと関連する取引対象を示す情報が配置された第２コンテンツとともに表示されるコンテンツとして、第１コンテンツを配信する。例えば、情報提供装置１０は、第１コンテンツを登録した供給者と対応するコンテンツ、すなわち、第１コンテンツを登録した供給者の供給者ページに、第２コンテンツとともに配置されるコンテンツとして、第１コンテンツを配信する。
【００２０】
例えば、情報提供装置１０は、電子商店街を介して利用者Ｕに提供したい静止画像、動画像、テキスト等の各種コンテンツを供給者コンテンツ（すなわち、第１コンテンツ）として供給者から受付ける。ここで、第１供給者が登録した供給者コンテンツとともに、第１供給者と競合する第２供給者により供給された取引対象の取引対象コンテンツが表示された場合には、供給者コンテンツの訴求力が低下する恐れがある。
【００２１】
そこで、情報提供装置１０は、電子商店街に出品された取引対象のうち、供給者コンテンツと関連する取引対象を検索する。例えば、情報提供装置１０は、供給者コンテンツを登録した供給者により供給されている取引対象や、供給者コンテンツとの関連性が高い取引対象を検索する。より具体的な例を挙げると、情報提供装置１０は、供給者コンテンツが所定の商品を紹介するコンテンツである場合には、電子商店街に出品された取引対象のうち、供給者コンテンツが紹介する商品の写真、説明文、価格、販売者の情報（例えば、店舗名等）等を取引対象コンテンツとして取得し、取得した取引対象コンテンツを並べた対応コンテンツ（すなわち、第２コンテンツ）を生成する。
【００２２】
続いて、情報提供装置１０は、供給者ページの配信要求を受付けた場合には、供給者ページに、供給者コンテンツと、その供給者コンテンツに対応する対応コンテンツとを配置した供給者ページを生成する。そして、情報提供装置１０は、生成した供給者ページを配信する。
【００２３】
このように、情報提供装置１０は、電子商店街において供給者ページの配信要求を受付けた場合は、配信対象となる供給者ページと対応する供給者の供給者コンテンツと、供給者コンテンツと対応する取引対象の取引対象コンテンツを含む対応コンテンツとを配信する。すなわち、情報提供装置１０は、電子商店街における供給者ページの一部に、電子商店街を運営する運営者や、販売者によって登録されるコンテンツではなく、供給者ページと対応する供給者自身によって作成や編集が行われたコンテンツを配置する。言い換えると、情報提供装置１０は、供給者ページの一部の編集権を、対応する供給者に対して付与する。
【００２４】
ここで、供給者ページを閲覧しようとする利用者Ｕは、その供給者ページと対応する供給者に対して興味を有する利用者Ｕであると推定できる。このため、情報提供装置１０は、ある供給者に対して興味を有する利用者Ｕに対し、その供給者によって作成や編集が行われたコンテンツを、対応する取引対象の取引対象コンテンツとともに提供することができるので、供給者コンテンツをより自然な態様で利用者Ｕに提供することができる。
【００２５】
〔１−３．対応コンテンツについて〕
ここで、情報提供装置１０は、供給者コンテンツと所定の関連性を有する取引対象であれば、任意の取引対象の取引対象コンテンツを含む対応コンテンツを配信してよい。より具体的な例を挙げると、情報提供装置１０は、対応コンテンツとして表示する取引対象コンテンツを、供給者ページと対応する供給者が供給した取引対象の取引対象コンテンツに限定すればよい。また、情報提供装置１０は、供給者ページと対応する供給者によって登録された供給者コンテンツと、供給者コンテンツが示す取引対象と関連する取引対象であって、供給者ページと対応する供給者によって供給される取引対象の取引対象コンテンツとを表示すればよい。すなわち、情報提供装置１０は、供給者が共通する供給者コンテンツと対応コンテンツとを表示すればよい。また、情報提供装置１０は、配信対象となる供給者コンテンツに基づいて、供給者コンテンツとともに表示する取引対象コンテンツを選択するのであれば、任意の選択基準を採用してよい。
【００２６】
例えば、情報提供装置１０は、電子商店街に出品された取引対象のうち供給者コンテンツと関連する取引対象として電子商店街を運営する運営者によりあらかじめ選定された取引対象の取引対象コンテンツを選定コンテンツとして保持する。ここで、運営者は、供給者コンテンツと直接的または間接的に関連性のある取引対象をあらかじめ選定してもよく、例えば、電子商店街に出品された取引対象であって、供給者コンテンツが紹介する取引対象のうち、優良店舗が販売する取引対象をあらかじめ選定してもよい。すなわち、情報提供装置１０は、供給者コンテンツと関連する取引対象であれば、任意の基準によって運営者により選定された取引対象の取引対象コンテンツを選定コンテンツとして保持する。
【００２７】
また、情報提供装置１０は、電子商店街に出品された取引対象のうち供給者コンテンツと関連する取引対象を検索し、検索した取引対象の取引対象コンテンツを検索コンテンツとする。例えば、情報提供装置１０は、供給者コンテンツの登録時に、供給者コンテンツと関連する取引対象を識別する識別情報を受付ける。そして、情報提供装置１０は、供給者ページを配信する場合は、配信対象となる供給者コンテンツとともに受付けた識別情報を検索クエリとして、電子商店街に出品された取引対象のうち、供給者コンテンツと関連する取引対象を検索する。そして、情報提供装置１０は、検索した取引対象の取引対象コンテンツを検索コンテンツとする。
【００２８】
また、情報提供装置１０は、供給者ページに、供給者コンテンツ、選定コンテンツ、および検索コンテンツを配置する。すなわち、情報提供装置１０は、供給者コンテンツが第１コンテンツとして配置され、選定コンテンツおよび検索コンテンツが第２コンテンツとして配置された供給者ページを生成する。そして、情報提供装置１０は、生成した供給者ページを配信する。
【００２９】
なお、情報提供装置１０は、選定コンテンツまたは検索コンテンツのいずれか一方のみが対応コンテンツとして配置された供給者コンテンツを配信してもよい。また、情報提供装置１０は、供給者ページの配信先となる利用者Ｕの属性、取引対象の価格、販売者に対する評価、販売者が販売した取引対象の数等、各種の情報に基づいて、選定コンテンツや検索コンテンツとして表示される取引対象コンテンツの並び替えを行ってもよい。
【００３０】
また、情報提供装置１０は、電子商店街に出品された取引対象のうち供給者コンテンツと関連する取引対象であって、配信先となる利用者の属性に応じて選択された取引対象を示す情報が配置された対応コンテンツを配信してもよい。例えば、情報提供装置１０は、供給者ページの配信先となる利用者Ｕの属性等に応じて、選定コンテンツや検索コンテンツとして表示される取引対象コンテンツのうち、配信対象となる取引対象コンテンツの選択を行ってもよく、取引対象コンテンツを表示する取引対象を販売する店舗の選択を行ってもよい。
【００３１】
また、情報提供装置１０は、供給者コンテンツとの関連性に基づいて、選定コンテンツや検索コンテンツとして表示される取引対象コンテンツの並び替えを行ってもよい。例えば、情報提供装置１０は、供給者コンテンツが紹介する取引対象と色やサイズが同一の取引対象がより上位の表示位置に表示されるように、取引対象コンテンツの並び替えを行ってもよい。また、情報提供装置１０は、供給者コンテンツが紹介する取引対象と同一の取引対象が出品されていない場合は、供給者コンテンツが紹介する取引対象の一世代前の取引対象や、類似する取引対象がより上位の表示位置に表示されるように、取引対象コンテンツの並び替えを行ってもよい。
【００３２】
また、情報提供装置１０は、上述した各種の情報を統合的に用いて、取引対象コンテンツの並び替えを行ってもよい。例えば、情報提供装置１０は、利用者Ｕの属性と各取引対象の属性との一致度、供給者コンテンツと各取引対象との類似度や関連度等に応じて、各取引対象の取引対象コンテンツを表示する優先度を示すスコアを算出し、算出したスコアに応じて、選定コンテンツや検索コンテンツとして表示される取引対象コンテンツの並び替えや表示対象となる取引対象コンテンツの選択を行ってもよい。
【００３３】
〔１−４．供給者ページのレイアウトについて〕
ここで、情報提供装置１０は、供給者ページの任意の位置に、供給者コンテンツと対応コンテンツとを配置してよい。例えば、情報提供装置１０は、供給者ページのうち、より表示される可能性が高い一に、供給者コンテンツを配置してもよい。すなわち、情報提供装置１０は、供給者コンテンツを対応コンテンツよりも優先的に表示されるコンテンツとして配信してもよい。
【００３４】
例えば、端末装置１００が左上の頂点を基準点としてコンテンツを表示する場合、供給者ページのうちより左上の頂点に近い領域が、配信時に最初に表示される可能性が高い。そこで、情報提供装置１０は、供給者ページのうち、配信時に最初に表示される領域、すなわち、初期表示される領域内に供給者コンテンツを配置してもよい。また、例えば、情報提供装置１０は、供給者ページのうち、対応コンテンツよりも上側に供給者コンテンツを配置してもよい。
【００３５】
また、情報提供装置１０は、供給者ページのうち、初期表示において表示される範囲と同程度、若しくは、初期表示において表示される範囲よりも大きくなるように、供給者コンテンツの表示サイズを調整し、表示サイズを調整した供給者コンテンツを供給者ページに配置してもよい。すなわち、情報提供装置１０は、供給者ページの初期表示において、供給者コンテンツのみが表示されるように、供給者コンテンツを供給者ページに配置してもよい。また、情報提供装置１０は、供給者ページのうち、検索クエリの入力欄やカテゴリの選択欄が配置される所定の領域以外の領域のうち、上端側に供給者コンテンツを配置してもよい。
【００３６】
また、情報提供装置１０は、供給者コンテンツが表示された際に、利用者Ｕが所定の操作を行った場合に、対応コンテンツが表示されるようにしてもよい。例えば、情報提供装置１０は、初期表示においては供給者コンテンツのみを表示し、利用者Ｕがスクロール操作を行った場合に、供給者ページをスクロールすることで、対応コンテンツを表示してもよい。また、例えば、情報提供装置１０は、ウェアラブルデバイスやカメラ等を用いて、利用者Ｕの視線の位置を特定し、特定した視線の位置に基づいて、利用者Ｕが供給者コンテンツに興味を持ったか否かを判定する。そして、情報提供装置１０は、利用者Ｕが供給者コンテンツに興味を持ったと判定した場合に、対応コンテンツの表示を行ってもよい。
【００３７】
すなわち、供給者ページにアクセスした利用者Ｕは、その供給者ページと対応する供給者やその供給者が供給する取引対象に対して興味を有する利用者であると推定できる。また、供給者ページに配置された供給者コンテンツに対して興味を有する利用者Ｕは、供給者コンテンツと対応する取引対象を購入する可能性が高い。そこで、情報提供装置１０は、初期表示においては、供給者コンテンツのみを表示し、利用者Ｕが供給者コンテンツに興味を持った場合に、その供給者コンテンツと対応する対応コンテンツを表示することで、取引対象が購入される可能性を向上させることができる。
【００３８】
また、情報提供装置１０は、供給者ページに対応コンテンツのみを配置し、供給者コンテンツと供給者ページとを配信する。そして、情報提供装置１０は、供給者コンテンツを供給者ページの前面に重ねてフロート表示させるとともに、利用者Ｕが所定の操作（例えば、供給者コンテンツを選択した場合や、供給者コンテンツと対応する取引対象の購入を提案するボタンを選択した場合等）を行った場合は、供給者コンテンツのフロート表示を取りやめ、供給者ページを表示させてもよい。また、情報提供装置１０は、利用者Ｕが供給者コンテンツに興味を持ったと判定される場合に、供給者コンテンツのフロート表示を取りやめ、供給者ページを表示させてもよい。例えば、情報提供装置１０は、供給者コンテンツが動画像である場合、フロート表示された供給者コンテンツのうち所定の時間領域が再生された場合にのみ、供給者コンテンツと対応する対応コンテンツを表示してもよい。
【００３９】
また、情報提供装置１０は、供給者コンテンツがフロート表示されている場合に、スクロール操作を行った場合等、供給者コンテンツに興味を有さないと判定される場合は、供給者コンテンツのフロート表示を取りやめてもよい。また、情報提供装置１０は、利用者が供給者コンテンツに興味を有さない場合は、供給者コンテンツと対応する取引対象のみならず、対応する供給者により供給される取引対象の取引対象コンテンツを改めて配信し、対応コンテンツに代えて表示させてもよい。
【００４０】
なお、情報提供装置１０は、取引対象コンテンツをタイムライン状（若しくは、タイル状）に並べた供給者ページを配信してもよい。このような場合、情報提供装置１０は、供給者コンテンツをタイムライン中に配置して表示してもよい。また、情報提供装置１０は、第１の供給者コンテンツをタイムラインの先頭に配置し、第２の供給者コンテンツをタイムラインの中ほどに配置してもよい。
【００４１】
〔１−５．配信される供給者コンテンツについて〕
ここで、情報提供装置１０は、複数の供給者コンテンツを受付けし、複数の供給者コンテンツのうち、配信先となる利用者の属性に応じて選択された供給者コンテンツを配信してもよい。例えば、情報提供装置１０は、供給者から複数の供給者コンテンツと、各供給者コンテンツの配信先となる利用者の属性とを受付ける。そして、情報提供装置１０は、利用者Ｕから供給者ページの配信要求を受付けた場合は、利用者Ｕの属性と対応する供給者コンテンツを選択し、選択した供給者コンテンツを配信してもよい。
【００４２】
また、情報提供装置１０は、複数の供給者コンテンツを配信してもよい。例えば、情報提供装置１０は、複数の供給者コンテンツをカルーセル表示可能な態様で供給者ページに配置し、供給者ページの配信を行ってもよい。また、情報提供装置１０は、配信対象となる供給者コンテンツごとに対応コンテンツを生成し、供給者ページとともに配信する。このような場合、端末装置１００は、カルーセル表示可能な態様で供給者ページに配置された供給者コンテンツのうち、表示されている供給者コンテンツと対応する対応コンテンツを表示してもよい。また、端末装置１００は、利用者Ｕの操作により、表示されている供給者コンテンツが変更される度に、変更後に表示されている供給者コンテンツと対応する対応コンテンツを情報提供装置１０から取得し、取得した対応コンテンツを表示してもよい。
【００４３】
なお、情報提供装置１０は、供給者コンテンツの配信回数、供給者コンテンツが表示された回数、動画像である供給者コンテンツが再生された回数、利用者Ｕが選択した回数、利用者Ｕからの評価内容、人気度、配信保証回数、登録日時等に応じて、配信対象となる供給者コンテンツの選択を行ってもよい。すなわち、情報提供装置１０は、一般的なターゲティングと同様の選択ロジックに基づいて、配信対象となる供給者コンテンツを選択してもよい。また、情報提供装置１０は、利用者Ｕがより選択又は閲覧する可能性が高い供給者コンテンツから順にカルーセル表示されるように、供給者コンテンツを配信してもよい。
【００４４】
また、情報提供装置１０は、複数の供給者コンテンツが並べて配置された供給者ページを配信してもよい。例えば、情報提供装置１０は、利用者Ｕが選択または閲覧する可能性が高い順に、複数の供給者コンテンツを上方向から下方向へと並べて配置した供給者ページを生成し、生成した供給者ページを配信してもよい。このような場合、情報提供装置１０は、各供給者コンテンツと対応する取引対象の取引対象コンテンツを対応コンテンツとして配信してもよく、例えば、最も利用者Ｕが選択又は閲覧する可能性が高い供給者コンテンツと対応する取引対象の取引対象コンテンツを対応コンテンツとして配信してもよい。
【００４５】
また、端末装置１００は、例えば、各供給者コンテンツごとに対応コンテンツの配信を受付け、利用者Ｕが選択した供給者コンテンツと対応する取引対象の取引対象コンテンツを対応コンテンツとして表示してもよい。また、端末装置１００は、利用者Ｕが選択した供給者コンテンツと対応する取引対象の取引対象コンテンツを情報提供装置１０から取得し、取得した取引対象コンテンツと対応コンテンツとして表示してもよい。
【００４６】
〔１−６．配信処理の一例について〕
続いて、情報提供装置１０が実行する配信処理の一例について説明する。まず、情報提供装置１０は、販売者端末３００から、取引対象の出品を受付ける（ステップＳ１）。また、情報提供装置１０は、供給者端末２００から、１つ又は複数の供給者コンテンツを受付ける（ステップＳ２）。
【００４７】
また、情報提供装置１０は、端末装置１００から供給者ページの配信要求を受付ける（ステップＳ３）。このような場合、情報提供装置１０は、配信要求を受付けた供給者ページと対応する供給者により登録された供給者コンテンツのうち、配信要求元となる利用者Ｕの属性に応じた供給者コンテンツを選択する（ステップＳ４）。
【００４８】
例えば、情報提供装置１０は、供給者コンテンツ＃１〜＃３とともに、各供給者コンテンツ＃１〜＃３が紹介する取引対象＃１〜＃３の情報を供給者から受付ける。また、情報提供装置１０は、配信要求元となる利用者＃１のデモグラフィック属性やサイコグラフィック属性等を示す属性＃１を特定する。また、情報提供装置１０は、属性＃１に基づいて、取引対象＃１〜＃３のうち、最も利用者＃１が興味を有すると推定される取引対象（例えば、取引対象＃１）を特定する。そして、情報提供装置１０は、特定した取引対象＃１と対応する供給者コンテンツ＃１を配信対象として選択する。
【００４９】
続いて、情報提供装置１０は、選択した供給者コンテンツと対応する取引対象として予め選定された取引対象を特定する（ステップＳ５）。例えば、情報提供装置１０は、供給者コンテンツ＃１の登録を受付けた際に、電子商店街を運営する運営者から対応する取引対象として、取引対象＃１−１、取引対象＃１−２の選定を受付ける。このような場合、情報提供装置１０は、選定された取引対象＃１−１、取引対象＃１−２を特定する。
【００５０】
そして、情報提供装置１０は、供給者コンテンツと、選定コンテンツと、検索コンテンツとを配置した供給者ページを生成する（ステップＳ６）。例えば、情報提供装置１０は、運営者により選定された取引対象＃１−１および取引対象＃１−２の名称、画像、価格、販売店舗の名称等を取引対象コンテンツとして取得し、取得した取引対象コンテンツを含む選定コンテンツＣ１２を生成する。また、情報提供装置１０は、供給者コンテンツ＃１と対応する取引対象＃１を検索クエリとして、電子商店街に出品された取引対象の検索を行い、検索された取引対象の取引対象コンテンツを利用者Ｕの属性等に応じて並べた検索コンテンツＣ１３を生成する。
【００５１】
続いて、情報提供装置１０は、検索クエリの入力欄や各種下位カテゴリへのリンクが配置された供給者ページＣ１０の上端側から順に、供給者コンテンツＣ１１、選定コンテンツＣ１２、および検索コンテンツＣ１３を配置する。そして、情報提供装置１０は、生成した供給者ページＣ１０を端末装置１００へと配信する（ステップＳ７）。この結果、端末装置１００は、電子商店街における供給者ページにおいて、対応する供給者が利用者に伝えたい内容の供給者コンテンツを表示することができる。
【００５２】
〔１−７．実行主体について〕
なお、上述した各処理は、任意の粒度で分割して実行されてもよく、任意の組み合わせで実行されてもよい。また、上述した処理は、端末装置１００によって実行されてもよく、端末装置１００および情報提供装置１０が協調して動作することで実現されてもよい。また、情報提供装置１０は、上述した処理を端末装置１００に実行させるための制御情報（例えば、Ｊａｖａ（登録商標）スクリプト等）を供給者ページとともに配信することで、実現してもよい。
【００５３】
例えば、情報提供装置１０は、供給者コンテンツと対応コンテンツと供給者ページとをそれぞれ個別に配信するとともに、供給者コンテンツや対応コンテンツの配置位置、表示形態、どのような操作が行われた時にどのような処理を行うか等を示す制御情報を送信する。そして、端末装置１００は、制御情報に基づいて、供給者コンテンツや対応コンテンツを供給者ページに配置して表示するとともに、利用者Ｕの操作に応じて、供給者コンテンツのカルーセル表示や対応コンテンツの切り替え、供給者コンテンツのフロート表示等を実現する。すなわち、情報提供装置１０は、端末装置１００に対して制御情報を配信することで、上述した各種の表示態様で供給者コンテンツを表示するように、端末装置１００を制御してもよい。
【００５４】
また、例えば、情報提供装置１０は、複数の情報処理装置が協調して動作することで、上述した配信処理を実現してもよい。例えば、情報提供装置１０は、供給者コンテンツの登録および管理を行う供給者コンテンツサーバと、電子商店街に関する各種のサービスを提供する電子商店街サーバとが協調して動作することで、実現されてもよい。このような場合、供給者コンテンツＣ１１と、選定コンテンツＣ１２および検索コンテンツＣ１３を有する供給者ページＣ１０とは、異なるサーバ装置から端末装置１００へと配信されることとなる。
【００５５】
また、供給者ページＣ１０、供給者コンテンツＣ１１、選定コンテンツＣ１２、および検索コンテンツＣ１３は、それぞれ異なるサーバ装置から配信されてもよい。例えば、電子商店街サーバは、各種コンテンツＣ１１〜Ｃ１３が配置されていない供給者ページＣ１０とともに、各種コンテンツＣ１１〜Ｃ１３を取得する制御情報を端末装置１００へと送信する。このような場合、端末装置１００は、供給者コンテンツサーバに対し、供給者コンテンツＣ１１の配信を要求し、供給者コンテンツＣ１１の配信を受付ける。
【００５６】
続いて、端末装置１００は、受付けた供給者コンテンツＣ１１を識別する情報を、選定コンテンツを管理する選定コンテンツサーバに送信し、対応する選定コンテンツＣ１２の配信を受付ける。また、端末装置１００は、受付けた供給者コンテンツＣ１１を識別する情報を、電子商店街の検索機能を有する検索サーバに送信し、供給者コンテンツＣ１１と対応する検索コンテンツＣ１３の配信を受付ける。そして、端末装置１００は、供給者ページＣ１０に、各種コンテンツＣ１１〜Ｃ１３を配置して表示してもよい。
【００５７】
〔２．情報提供装置の構成〕
以下、上記した情報提供装置１０が有する機能構成の一例について説明する。図２は、実施形態に係る情報提供装置の構成例を示す図である。図２に示すように、情報提供装置１０は、通信部２０、記憶部３０、および制御部４０を有する。
【００５８】
通信部２０は、例えば、ＮＩＣ（Network  Interface  Card）等によって実現される。そして、通信部２０は、ネットワークＮと有線または無線で接続され、端末装置１００、供給者端末２００、および販売者端末３００との間で情報の送受信を行う。
【００５９】
記憶部３０は、例えば、ＲＡＭ（Random  Access  Memory)、フラッシュメモリ（Flash  Memory）等の半導体メモリ素子、または、ハードディスク、光ディスク等の記憶装置によって実現される。また、記憶部３０は、取引対象データベース３１および供給者コンテンツデータベース３２を記憶する。
【００６０】
取引対象データベース３１には、取引対象に関する各種の情報が登録される。例えば、図３は、実施形態に係る取引対象データベースに登録される情報の一例を示す図である。図３に示すように、取引対象データベース３１には、「ストア」「取引対象ＩＤ（Identifier）」、「取引対象名」、「価格」、「販促割合」、「コンテンツデータ」、および「対応属性」等といった項目を有する情報が登録される。なお、取引対象データベース３１には、図３に示す項目以外にも、取引対象に関連する各種の情報が登録されていてもよい。
【００６１】
ここで、「ストア」とは、対応付けられた「取引対象ＩＤ」が示す取引対象を電子商店街で販売する店舗を示す情報である。また「取引対象ＩＤ」とは、取引対象を識別する情報であり、例えばＪＡＮ（Japan  Article  Number）コード等である。また、「取引対象名」とは、対応付けられた「取引対象ＩＤ」が示す取引対象の名称である。また、「価格」とは、対応付けられた「取引対象ＩＤ」が示す取引対象の価格である。また、「販促割合」とは、対応付けられた「取引対象ＩＤ」が示す取引対象が販売された際に、対応付けられた価格のうち運営者に対して提供される対価の割合である。運営者は、かかる販促割合の値や、価格と販促割合との積の値（すなわち、対価の額）に応じて、取引対象コンテンツの表示順序の並び替え、優先的な取引対象コンテンツの表示を行う。また、運営者は、対価の額を原資として、セールやクーポンの発行を行ってもよい。
【００６２】
また、「コンテンツデータ」とは、対応付けられた「取引対象ＩＤ」が示す取引対象の画像、価格、説明文など、取引対象の紹介や販売を行うコンテンツのデータである。また、「対応属性」とは、対応付けられた「取引対象ＩＤ」が示す取引対象の取引対象コンテンツの提供先として、販売者が予め設定した利用者の属性、すなわち、ターゲティング属性である。
【００６３】
例えば、図３に示す例では、取引対象データベース３１には、ストア「ストアＡ」、取引対象ＩＤ「取引対象＃１」、取引対象名「取引対象名＃１」、価格「４５００」、販促割合「１５パーセント」、コンテンツデータ「コンテンツデータ＃１」、および対応属性「属性＃１」が対応付けて登録されている。このような情報は、例えば、「ストアＡ」が示す店舗において、「取引対象＃１」が示す取引対象が、「取引対象名＃１」という名称で販売されており、販売者によって設定された価格が「４５００」円であり、販促割合が「１５パーセント」に設定されている旨を示す。また、このような情報は、「取引対象＃１」が示す取引対象を販売するコンテンツに配置される情報が「コンテンツデータ＃１」であり、取引対象コンテンツが「属性＃１」と対応する利用者に対して提供される旨を示す。
【００６４】
なお、図３に示す例では、「取引対象＃１」、「取引対象名＃１」、「コンテンツデータ＃１」、「属性＃１」等といった概念的な値を記載したが、実際には、取引対象データベース３１には、取引対象を識別する文字列、取引対象名となる文字列、取引対象の画像や説明文、利用者の属性を示す数値や文字列等のデータが登録されることとなる。
【００６５】
図２に戻り、説明を続ける。供給者コンテンツデータベース３２には、供給者コンテンツに関する情報が登録される。例えば、図４は、実施形態に係る供給者コンテンツデータベースに登録される情報の一例を示す図である。図４に示すように、供給者コンテンツデータベース３２には、「供給者ＩＤ」、「供給者ページ」、「供給者コンテンツ」、「取引対象ＩＤ」、「対応属性」、および「選定対象情報」といった項目を有する情報が登録される。
【００６６】
ここで、「供給者ＩＤ」とは、供給者コンテンツと対応する供給者を識別する情報である。また、「供給者ページ」とは、対応付けられた「供給者ＩＤ」が示す供給者の供給者ページを示す情報である。また、「供給者コンテンツ」とは、対応付けられた「供給者ＩＤ」が示す供給者により供給される取引対象を紹介する供給者コンテンツのデータである。また、「取引対象ＩＤ」は、対応付けられた「供給者コンテンツＩＤ」が紹介する取引対象を示す取引対象ＩＤである。また、「対応属性」は、対応付けられた「供給者コンテンツ」の配信先となる利用者Ｕの属性を示す情報である。また、「選定対象情報」は、対応付けられた「供給者コンテンツ」と対応する取引対象として、予め選定された選定対象を示す情報であり、選定対象を販売するストアの情報と、取引対象の取引対象ＩＤとを示す情報である。
【００６７】
例えば、図４に示す例では、供給者ＩＤ「Ｂ１０」、供給者ページ「供給者ページ＃１」、供給者コンテンツ「供給者コンテンツ＃１−１」、取引対象ＩＤ「取引対象＃１−１」、対応属性「対応属性＃１−１」、および選定対象情報「選定対象情報＃１−１・・・」が対応付けて登録されている。このような情報は、「Ｂ１０」が示す供給者の供給者ページが「供給者ページ＃１」であり、「Ｂ１０」が示す供給者によって、「取引対象＃１−１」が示す取引対象を紹介する供給者コンテンツとして、「供給者コンテンツ＃１−１」が登録されている旨を示す。また、このような情報は、「供給者コンテンツ＃１−１」が配信される利用者Ｕの属性として「対応属性＃１−１」が登録されており、「供給者コンテンツ＃１−１」と対応する選定対象として、「選定対象＃１−１・・・」が示すストアが出品する取引対象が予め登録されている旨を示す。
【００６８】
なお、図４に示す例では、「Ｂ１０」、「供給者ページ＃１」、「供給者コンテンツ＃１−１」、「対応属性＃１−１」、「選定対象情報＃１−１・・・」等といった概念的な値を記載したが、実際には、供給者コンテンツデータベース３２には、供給者を識別する文字列、供給者ページのＵＲＬ（Uniform  Resource  Locator）、供給者コンテンツのデータ、利用者Ｕの属性を示す文字列や数値等、選定対象を出品するストアの情報や取引対象ＩＤ等が登録されることとなる。
【００６９】
図２に戻り、説明を続ける。制御部４０は、コントローラ（controller）であり、例えば、ＣＰＵ（Central  Processing  Unit）、ＭＰＵ（Micro  Processing  Unit）等のプロセッサによって、情報提供装置１０内部の記憶装置に記憶されている各種プログラムがＲＡＭ等を作業領域として実行されることにより実現される。また、制御部４０は、コントローラ（controller）であり、例えば、ＡＳＩＣ（Application  Specific  Integrated  Circuit）やＦＰＧＡ（Field  Programmable  Gate  Array）等の集積回路により実現されてもよい。図２に示すように、制御部４０は、登録部４１、受付部４２、選択部４３、検索部４４、および配信部４５を有する。
【００７０】
登録部４１は、電子商店街に出品する取引対象の登録を受付ける。例えば、登録部４１は、販売者端末３００から取引対象を出品するストアの情報、取引対象ＩＤ、取引対象名、価格、販促割合、コンテンツデータ、対応属性等の登録を受付ける。このような場合、登録部４１は、受付けた各種の情報を取引対象データベース３１に登録する。
【００７１】
受付部４２は、所定の取引対象を供給する供給者から、第１コンテンツである供給者コンテンツを受付ける。例えば、受付部４２は、供給者端末２００から、供給者コンテンツ、供給者コンテンツが紹介する取引対象の取引対象ＩＤ、供給者コンテンツの配信先となる利用者の属性を示す対応属性等を受付ける。このような場合、受付部４２は、供給者を識別する供給者ＩＤとともに、受付けた各種の情報を供給者コンテンツデータベース３２に登録する。なお、受付部４２は、複数の供給者コンテンツの登録を受付けてもよい。
【００７２】
また、受付部４２は、所定のタイミングで供給者コンテンツデータベース３２を参照し、選定対象ＩＤが登録されていない供給者コンテンツを特定し、特定した供給者コンテンツや対応する取引対象ＩＤが示す取引対象の情報を所定の運営者に提供する。そして、受付部４２は、所定の運営者が選定対象として選定した取引対象の取引対象ＩＤを受付けると、受付けた取引対象ＩＤを選定対象ＩＤとして供給者コンテンツデータベース３２に登録する。
【００７３】
選択部４３は、配信対象となる供給者コンテンツを選択する。例えば、選択部４３は、配信部４５が供給者ページの配信要求を端末装置１００から受付けた場合は、供給者コンテンツデータベース３２を参照し、配信要求の対象となる供給者ページと対応付けられた供給者ＩＤを特定する。また、選択部４３は、配信元となる利用者Ｕの属性を特定する。そして、選択部４３は、特定した供給者ＩＤと対応付けられた各供給者コンテンツの対応属性と利用者Ｕの属性との一致度や類似度に基づくスコアを算出し、算出したスコアに基づいて、配信対象となる１つまたは複数の供給者コンテンツを選択する。例えば、選択部４３は、各供給者コンテンツに対する利用者の興味の強さを示すスコアを算出し、算出したスコアが所定の閾値を超えた供給者コンテンツを配信対象として選択する。
【００７４】
検索部４４は、配信対象として選択された供給者コンテンツと関連する取引対象を電子商店街から検索する。例えば、検索部４４は、供給者コンテンツデータベース３２を参照し、選択部４３によって配信対象として選択された供給者コンテンツが紹介する取引対象の取引対象ＩＤを特定する。そして、検索部４４は、取引対象データベース３１を参照し、取引対象ＩＤが、供給者コンテンツデータベース３２から特定した取引対象ＩＤと一致する取引対象、すなわち、電子商店街に出品された取引対象のうち、配信対象となる供給者コンテンツが紹介する取引対象を特定する。なお、検索部４４は、配信対象となる供給者コンテンツが紹介する取引対象と類似する取引対象や関連する取引対象を検索してもよい。
【００７５】
配信部４５は、販売者により電子商店街に出品された取引対象のうち配信対象として選択された供給者コンテンツと関連する取引対象の取引対象コンテンツを生成し、生成した取引対象コンテンツを含む対応コンテンツとともに表示されるコンテンツとして、配信対象として選択された供給者コンテンツを配信する。より具体的には、配信部４５は、生成した対応コンテンツとともに、供給者と対応する供給者ページに配置されるコンテンツとして、供給者コンテンツを配信する。
【００７６】
例えば、配信部４５は、供給者コンテンツデータベース３２を参照し、選択部４３によって選択された供給者コンテンツと対応付けられた選定対象情報を特定する。すなわち、配信部４５は、配信先となる利用者の属性に応じて選択された供給者コンテンツの選定対象を特定する。また、配信部４５は、特定した選定対象情報が示すストアと取引対象との組を取引対象データベース３１から検索し、検索したストアと取引対象との組に対応付けられた価格やコンテンツデータ等から、選定対象となる取引対象の取引対象コンテンツを生成する。そして、配信部４５は、生成した取引対象コンテンツを配置した選定コンテンツを生成する。
【００７７】
また、配信部４５は、検索部４４によって検索された取引対象、すなわち、配信対象となる供給者コンテンツと関連するする取引対象として検索された取引対象の価格やコンテンツデータから取引対象コンテンツを生成し、生成した取引対象コンテンツを配置した検索コンテンツを生成する。そして、配信部４５は、配信対象となる供給者ページに、選択された供給者コンテンツ、生成した選定コンテンツおよび検索コンテンツを配置し、各コンテンツを配置した供給者ページを端末装置１００へと配信する。
【００７８】
なお、配信部４５は、供給者コンテンツが対応コンテンツとともに表示されるのであれば、供給者コンテンツや対応コンテンツを実際に配置した供給者ページを配信する必要はない。例えば、配信部４５は、供給者ページを配信するとともに、供給者コンテンツや対応コンテンツのデータとともに、供給者コンテンツや対応コンテンツの配置位置を示す制御情報を配信してもよい。このような場合、端末装置１００は、制御情報に従って、供給者ページに供給者コンテンツや対応コンテンツを配置して表示することとなる。
【００７９】
このように、配信部４５は、第１コンテンツに基づいて生成された第２コンテンツである選定コンテンツや検索コンテンツとともに表示されるコンテンツとして、第１コンテンツである供給者コンテンツを配信する。また、配信部４５は、電子商店街に出品された取引対象のうち供給者コンテンツと関連する取引対象として電子商店街を運営する運営者により選択された選定対象を示す選定コンテンツとともに表示されるコンテンツとして、供給者コンテンツを配信する。また、配信部４５は、電子商店街に出品された取引対象のうち供給者コンテンツと関連する取引対象として検索された取引対象を示す検索コンテンツとともに表示されるコンテンツとして、供給者コンテンツを配信する。
【００８０】
なお、配信部４５は、供給者コンテンツを対応コンテンツよりも優先的に表示されるコンテンツとして配信してもよい。例えば、配信部４５は、供給者ページのうち配信時に初期表示される範囲に供給者コンテンツを配置してもよい。また、配信部４５は、供給者コンテンツを初期表示される範囲に配置して表示させる制御情報とともに、供給者コンテンツを配信してもよい。また、配信部４５は、供給者ページのうち、初期表示される範囲よりも表示サイズが大きい態様で、供給者ページに供給者コンテンツを配置してもよく、初期表示される範囲よりも表示サイズが大きい態様で表示あせる制御情報とともに、供給者コンテンツを配信してもよい。
【００８１】
また、配信部４５は、供給者コンテンツが表示された際に利用者Ｕが所定の操作を行った場合には、対応コンテンツが表示されるように、供給者コンテンツを配信してもよい。例えば、配信部４５は、利用者Ｕが所定の操作を行うまでは供給者コンテンツのみを表示し、利用者Ｕが所定の操作を行った場合には、供給者コンテンツと対応する対応コンテンツを表示するように、供給者コンテンツを配信してもよい。
【００８２】
より具体的な例を挙げると、配信部４５は、初期表示される範囲全体に供給者コンテンツを配置し、他の領域に対応コンテンツを配置した供給者ページを配信してもよい。このような供給者ページを配信した場合、端末装置１００は、供給者コンテンツのみを表示し、スクロール操作が行われて初めて、対応コンテンツを表示することとなる。また、他の例では、配信部４５は、初期表示において、供給者コンテンツをフロート表示し、利用者Ｕがスクロール操作を行った場合は、供給者コンテンツのフロート表示を取りやめるとともに、対応コンテンツを表示する処理を端末装置１００に実行させる制御情報を生成する。そして、配信部４５は、生成した制御情報とともに、供給者コンテンツの配信を行ってもよい。
【００８３】
また、配信部４５は、配信対象として複数の供給者コンテンツが選択された場合は、カルーセル表示可能な態様で表示されるように、選択された複数の供給者コンテンツを配信してもよい。例えば、配信部４５は、カルーセル表示される態様で、複数の供給者コンテンツを供給者ページに配置してもよく、端末装置１００にカルーセル表示させるための制御情報とともに、複数の供給者コンテンツを配信してもよい。
【００８４】
また、配信部４５は、複数の供給者コンテンツのうち画面上に表示された供給者コンテンツと関連する取引対象を示す情報が配置された対応コンテンツを取得して表示させる制御情報とともに、複数の供給者コンテンツを配信してもよい。このような場合、端末装置１００は、利用者Ｕの操作によって表示される供給者コンテンツが変更した場合は、変更した供給者コンテンツと対応する対応コンテンツを情報提供装置１０から取得し、取得した対応コンテンツを表示することとなる。なお、配信部４５は、配信対象となる複数の供給者コンテンツとともに、予め供給コンテンツごとに生成した複数の対応コンテンツを配信してもよい。このような場合、端末装置１００は、利用者Ｕの操作によって表示される供給者コンテンツが変更した場合は、変更後の供給者コンテンツと対応する対応コンテンツを表示すればよい。
【００８５】
また、配信部４５は、対応コンテンツとして、電子商店街に出品された取引対象のうち供給者コンテンツと関連する取引対象であって、配信先となる利用者の属性に応じて選択された取引対象の取引対象コンテンツが配置された対応コンテンツを生成する。例えば、配信部４５は、検索部４４によって検索された取引対象と対応付けられた対応属性と、利用者Ｕの属性との一致度に応じたスコアを算出し、算出したスコアの値が所定の閾値を超える取引対象を特定する。そして、配信部４５は、特定した取引対象の取引対象コンテンツを含む対応コンテンツを生成してもよい。また、配信部４５は、算出したスコアの値に基づいて、取引対象コンテンツを配置する位置や順番を変更してもよい。
【００８６】
〔３．端末装置の構成〕
上述した例では、情報提供装置１０は、供給者コンテンツや対応コンテンツを配置した供給者ページを配信する例の他に、供給者コンテンツや対応コンテンツを供給者ページに配置して表示させる制御情報を供給者コンテンツとともに端末装置１００へと配信する例について説明した。以下の説明では、図５を用いて、制御情報を供給者コンテンツとともに配信した際に端末装置１００が実行する処理の一例について説明する。図５は、実施形態に係る端末装置の構成例を示す図である。図５に示すように、端末装置１００は、通信部１１０と、入力部１２０と、出力部１３０と、物理センサ１４０と、制御部１５０とを有する。
【００８７】
通信部１１０は、例えば、ＮＩＣ等によって実現される。そして、通信部１１０は、ネットワークＮと有線または無線で接続され、情報提供装置１０との間で情報の送受信を行う。
【００８８】
入力部１２０は、利用者から各種操作を受け付ける入力装置である。例えば、入力部１２０は、キーボードやマウスや操作キー等によって実現される。出力部１３０は、各種情報を表示するための表示装置であり、すなわち、画面である。例えば、出力部１３０は、液晶ディスプレイ等によって実現される。なお、端末装置１００にタッチパネルが採用される場合には、入力部１２０と出力部１３０とは一体化される。また、以下の説明では、出力部１３０を画面と記載する場合がある。
【００８９】
物理センサ１４０は、端末装置１００の物理的な状態を検知するセンサである。例えば、物理センサ１４０は、端末装置１００の３軸方向の傾きを測定するジャイロセンサである。なお、物理センサ１４０は、ジャイロセンサに限定されるものではなく、例えば、加速度センサ、温度センサ、音量センサ、明度センサ等、任意のセンサが適用可能である。
【００９０】
制御部１５０は、例えば、コントローラであり、例えば、ＣＰＵ、ＭＰＵ等のプロセッサによって、端末装置１００内部の記憶装置に記憶されている各種プログラムがＲＡＭ等を作業領域として実行されることにより実現される。また、制御部１５０は、コントローラであり、例えば、ＡＳＩＣやＦＰＧＡ等の集積回路により実現されてもよい。例えば、この各種プログラムは、ウェブブラウザと呼ばれるアプリケーションプログラムやその他のアプリケーションプログラムに該当する。
【００９１】
図５に示すように、制御部１５０は、要求部１５１と、操作制御部１５２と、表示制御部１５３とを有し、以下に説明する情報処理の機能や作用を実現または実行する。なお、制御部１５０の内部構成は、図５に示した構成に限られず、後述する情報処理を行う構成であれば他の構成であってもよい。また、制御部１５０が有する各処理部の接続関係は、図５に示した接続関係に限られず、他の接続関係であってもよい。
【００９２】
要求部１５１は、操作制御部１５２から電子商店街のＵＲＬを受信した場合は、情報提供装置１０に対して受信したＵＲＬが示すコンテンツの配信要求を送信する。
【００９３】
操作制御部１５２は、入力部１２０を介して受け付けた利用者の操作にしたがって、各種制御を実行する。例えば、操作制御部１５２は、利用者が入力部１２０に対して電子商店街のコンテンツの表示操作を行った場合は、表示対象となるコンテンツのＵＲＬを要求部１５１に出力する。また、操作制御部１５２は、入力部１２０を介して受け付けたスクロール操作やタップ操作等、利用者の操作の内容を表示制御部１５３に出力する。
【００９４】
表示制御部１５３は、受信した供給者ページや各種のコンテンツを出力部１３０に表示させる。例えば、表示制御部１５３は、図５に示すように、配置部１５４、表示部１５５、および取得部１５６として動作し、表示処理を実行する。なお、配置部１５４、表示部１５５、および取得部１５６は、例えば、ＣＰＵやＭＰＵ等によって、情報提供装置１０から配信された制御情報がＲＡＭを作業領域として実行されることにより実現されることとなる。
【００９５】
配置部１５４は、供給者ページに供給者コンテンツおよび対応コンテンツを配置して表示する。例えば、配置部１５４は、供給者ページのうち、初期表示される範囲やより優先的に表示される範囲に供給者コンテンツを配置し、他の領域に対応コンテンツを配置する。なお、配置部１５４は、供給者コンテンツや対応コンテンツを配置する位置については、任意の設定が採用可能である。
【００９６】
また、配置部１５４は、複数の供給者コンテンツをカルーセル表示させる旨を制御情報が示す場合は、複数の供給者コンテンツをカルーセル表示可能な態様で、供給者ページに配置して表示する。また、配置部１５４は、供給者コンテンツをフロート表示する旨を制御情報が示す場合は、供給者コンテンツを供給者ページに配置せず、対応コンテンツのみを供給者ページに配置する。
【００９７】
表示部１５５は、供給者コンテンツを対応コンテンツとともに表示する。例えば、表示部１５５は、供給者コンテンツと対応コンテンツとが配置された供給者ページを出力部１３０に表示させる。また、表示部１５５は、複数の供給者コンテンツをカルーセル表示可能な態様で表示する。そして、表示部１５５は、カルーセル表示された供給者コンテンツを変更する操作が行われた場合は、操作内容に従って、表示する供給者コンテンツを変更するとともに、表示されている対応コンテンツを、変更後の供給者コンテンツと対応する対応コンテンツへと変更する。
【００９８】
なお、表示部１５５は、供給者コンテンツがフロート表示される場合、初期表示において供給者ページの前面に供給者コンテンツを重ねて表示する。そして、表示部１５５は、制御情報が示す操作が行われた場合は、フロート表示された供給者コンテンツを消去し、供給者ページのみを表示する。
【００９９】
取得部１５６は、カルーセル表示された供給者コンテンツを変更する操作が行われた場合は、変更後の供給者コンテンツと対応する対応コンテンツを取得する。例えば、取得部１５５は、カルーセル表示された供給者コンテンツを変更する操作が行われた場合は、変更後の供給者コンテンツを示す情報を情報提供装置１０へと送信する。このような場合、情報提供装置１０は、変更後の供給者コンテンツと対応する対応コンテンツを生成し、生成した対応コンテンツを端末装置１００へと送信する。この結果、表示部１５５は、変更後の供給者コンテンツと対応する対応コンテンツを表示することとなる。
【０１００】
〔４．供給者ページの表示例〕
以下、図６、図７を用いて、供給者ページの表示例について説明する。図６は、実施形態に係る供給者ページの表示例を示す第１の図である。また、図７は、実施形態に係る供給者ページの表示例を示す第２の図である。なお、以下に説明する表示例は、情報提供装置１０が、以下の表示例を実現する供給者ページを生成し配信することで実現されてもよく、例えば、情報提供装置１０が、以下の表示例で各コンテンツを表示するように端末装置１００を制御する制御情報を配信することで、実現されてもよい。
【０１０１】
まず、図６を用いて、カルーセル表示可能な複数の供給者コンテンツを配信した際の表示例について説明する。例えば、端末装置１００は、供給者コンテンツＣ１１、選定コンテンツＣ１２、および検索コンテンツＣ１３が配置された供給者ページＣ１０の配信を受付ける。このような場合、端末装置１００は、図６の第１状態に示すように、配信された供給者ページＣ１０を表示する。
【０１０２】
ここで、供給者ページＣ１０には、不可視状態で供給者コンテンツＣ２１が配置されており、カルーセル表示可能であるものとする。このような場合、端末装置１００は、利用者Ｕの指Ｆ１０が画面左方向に供給者コンテンツＣ１１をスライドさせる操作を行った場合には、供給者コンテンツＣ１１を供給者コンテンツＣ２１へと徐々に切替える。
【０１０３】
さらに、端末装置１００は、供給者コンテンツＣ２１と対応する対応コンテンツを取得する。例えば、端末装置１００は、情報提供装置１０に対して供給者コンテンツＣ２１を示す情報を送信し、供給者コンテンツＣ２１と対応する選定コンテンツＣ２２および検索コンテンツＣ２３を取得する。なお、情報提供装置１００は、供給者コンテンツＣ２１と対応する対応コンテンツをあらかじめ端末装置１００に配信していてもよい。
【０１０４】
そして、端末装置１００は、第２状態に示すように、供給者コンテンツＣ２１を表示するとともに、選定コンテンツＣ１２および検索コンテンツＣ１３を、選定コンテンツＣ２２および検索コンテンツＣ２３に変更する。このため、端末装置１００は、カルーセル表示される複数の供給者コンテンツのうち、画面上に表示された供給者コンテンツと対応する対応コンテンツを表示することができる。
【０１０５】
次に、図７を用いて、供給者コンテンツをフロート表示する処理の一例について説明する。なお、図７に示す例では、スマートフォンを端末装置１００とする処理の一例について記載したが、実施形態は、これに限定されるものではない。例えば、情報提供装置１０は、供給者ページ上に選定コンテンツと検索コンテンツとを配置するとともに、供給者ページと供給者コンテンツとを配信する。このような場合、端末装置１００は、第１状態に示すように、画面上に供給者ページを表示するとともに、供給者ページの前面に透過度を設定した黒色の画像を表示し、さらに黒色の画像の前面に供給者コンテンツを重ねて表示する。
【０１０６】
そして、端末装置１００は、例えば、利用者Ｕの指Ｆ１０が供給者コンテンツが表示されていない領域でスクロール操作を行った場合は、第２状態に示すように、供給者コンテンツの表示を取りやめ、供給者ページを表示してもよい。
【０１０７】
また、他の例では、情報提供装置１０は、供給者ページのうち、初期表示される領域に黒色の画像を配置するとともに、かかる画像の前面に供給者コンテンツを配置する。また、情報提供装置１０は、初期表示される領域よりも下側に、選定コンテンツや検索コンテンツを配置する。そして、情報提供装置１０は、供給者ページを配信する。
【０１０８】
このような供給者ページが配信された場合、端末装置１００は、第３状態に示すように、初期表示においては供給者コンテンツのみを表示することとなる。そして、情報提供装置１０は、利用者Ｕの指Ｆ１０が供給者ページを画面上方向へとスクロールさせる上スクロール操作を行った場合は、第４状態に示すように、供給者ページを画面上方向へとスクロールさせることで、選定コンテンツや検索コンテンツを表示する。
【０１０９】
〔５．情報提供装置の処理フロー〕
次に、図８を用いて、情報提供装置１０が実行する配信処理の流れの一例について説明する。図８は、実施形態に係る情報提供装置が実行する配信処理の流れの一例を示すフローチャートである。なお、情報提供装置１０は、図８に示す処理に先立って、供給者コンテンツの登録や取引対象の出品を受付けているものとする。
【０１１０】
例えば、情報提供装置１０は、供給者ページの配信要求を受付けたか否かを判定し(ステップＳ１０１)、受付けていない場合は（ステップＳ１０１：Ｎｏ）、受付けるまで待機する。また、情報提供装置１０は、供給者ページの配信要求を受付けた場合は（ステップＳ１０１：Ｙｅｓ）、配信要求対象となる供給者ページと対応する供給者により登録された供給者コンテンツの中から、利用者Ｕの属性に応じて、配信対象となる供給者コンテンツを選択する（ステップＳ１０２）。
【０１１１】
続いて、情報提供装置１０は、選択した供給者コンテンツに対応する選定コンテンツと検索コンテンツとを生成する（ステップＳ１０３）。例えば、情報提供装置１０は、選択した供給者コンテンツが紹介する取引対象に基づいて運営者が予め選定した取引対象の取引対象コンテンツを含む選定コンテンツを生成する。また、情報提供装置１０は、選択した供給者コンテンツが紹介する取引対象と関連する取引対象であって、電子商店街に出品された取引対象の中から検索された取引対象の取引対象コンテンツを含む検索コンテンツを生成する。そして、情報提供装置１０は、供給者ページに供給者コンテンツと選定コンテンツと検索コンテンツとを配置し（ステップＳ１０４）、供給者ページを配信し（ステップＳ１０５）、処理を終了する。
【０１１２】
〔６．端末装置の処理フロー〕
次に、図９を用いて、端末装置１００が実行する配信処理の流れの一例について説明する。図９は、実施形態に係る端末装置が実行する配信処理の流れの一例を示すフローチャートである。なお、図９に示す例では、複数の供給者コンテンツがカルーセル表示可能な状態で配置された供給者ページを表示する際に端末装置１００が実行する処理の一例について記載した。
【０１１３】
例えば、端末装置１００は、配信された供給者ページを表示する（ステップＳ２０１）。そして、端末装置１００は、供給者コンテンツのスクロール操作が行われたか否かを判定する（ステップＳ２０２）。すなわち、端末装置１００は、カルーセル表示可能な複数の供給者コンテンツのうち、表示される供給者コンテンツを変更する操作が行われたか否かを判定する。
【０１１４】
そして、端末装置１００は、供給者コンテンツのスクロール操作が行われた場合は（ステップＳ２０２：Ｎｏ）、スクロール後に表示される供給者コンテンツに対応する選定コンテンツと検索コンテンツとを新たに取得する（ステップＳ２０３）。そして、端末装置１００は、スクロール操作に応じて供給者コンテンツを変更するとともに、新たに取得し選定コンテンツと検索コンテンツとを供給者ページに配置して表示する（ステップＳ２０４）。その後、端末装置１００は、ステップＳ２０２から処理を繰り返し実行する。なお、端末装置１００は、供給者コンテンツのスクロール操作が行われていない場合は（ステップＳ２０２：Ｎｏ）、そのまま待機する。
【０１１５】
〔７．変形例〕
上記では、図１を用いて、情報提供装置１０が実行する配信処理の一例について説明した。しかしながら、実施形態は、これに限定されるものではない。以下、情報提供装置１０が実行する配信処理のバリエーションについて説明する。なお、以下に説明する配信処理は、例えば、登録部４１、受付部４２、選択部４３、検索部４４、および配信部４５によって実現されるが、実施形態は、これに限定されるものではない。
【０１１６】
〔７−１．供給者コンテンツの態様について〕
上述した情報提供装置１０は、供給者により登録された任意のコンテンツを供給者コンテンツとして配信した。ここで、情報提供装置１０は、供給者により登録されたコンテンツであれば、任意の内容のコンテンツを供給者コンテンツとして配信してもよい。例えば、情報提供装置１０は、供給者のブランドイメージを示すようなコンテンツ、供給者とタイアップする人物を示すコンテンツ、意見広告等、特定の取引対象を紹介しないコンテンツを供給者コンテンツとして配信してもよい。また、情報提供装置１０は、特定の取引対象を紹介しないコンテンツを供給者コンテンツとして配信する場合は、供給者により供給される取引対象の取引対象コンテンツを対応コンテンツとして配信してもよい。
【０１１７】
ここで、供給者コンテンツは、所謂広告と見做せるコンテンツであってもよいが、広告以外のコンテンツであってもよい。ここで、広告とは、営利若しくは非営利の広告だけではなく、ボランティアの募集、公共広告、公ともに対する通知、供給者ページに関する情報の一部、その他任意のコンテンツであるものとする。すなわち、供給者コンテンツは、利用者に興味を抱かせ、供給者コンテンツに含まれる情報、または、供給者コンテンツと関連するコンテンツ（例えば、ランディングページ等）に含まれる情報を広く報知するものであれば、画像、動画像、文字、図形、記号、ハイパーリンク、その他任意のコンテンツを適用可能である。すなわち、利用者に対して興味を生じさせようとするコンテンツであれば、任意のコンテンツを供給者コンテンツとして適用可能である。
【０１１８】
また、供給者コンテンツは、供給者ページ専用のコンテンツでなくともよい。例えば、供給者コンテンツは、動画供給サイトや供給者のホームページ等に掲載された動画像等のコンテンツであってもよい。このような場合、情報提供装置１０は、供給者コンテンツのデータそのものを配信してもよく、供給者コンテンツが掲載された動画共有サイトのＵＲＬやサムネイル等を供給者コンテンツとして配信してもよい。
【０１１９】
また、供給者コンテンツは、ゲームやプレイアブル広告等、利用者の操作によって動的に変化するコンテンツであってもよい。また、供給者コンテンツは、音声を含むものであってもよい。また、供給者コンテンツは、ＳＮＳ（Social  Networking  Service）のコンテンツ、メッセンジャーアプリケーションやカメラアプリケーション等といった各種アプリケーションとして動作するコンテンツ、その他任意のコンテンツであってもよい。
【０１２０】
また、供給者コンテンツは、供給者自身により登録されるものではなく、例えば、供給者から依頼を受けた広告代理店等により登録されてもよい。このような場合、図１に示す供給者端末２００は、広告代理店が使用する端末装置であってもよい。すなわち、供給者コンテンツは、供給者の発意の下、電子商店街における供給者ページにおいて、供給者が発信したい情報を伝達するものであれば、任意のコンテンツが採用可能である。
【０１２１】
〔７−２．制御情報について〕
上記した端末装置１００は、情報提供装置１０から配信された制御情報を用いて、上記した表示態様を実現した。しかしながら、実施形態は、これに限定されるものではない。例えば、情報提供装置１０が提供する処理が複数のサーバ装置等により実現される場合、制御情報は、供給者ページを配信するサーバ装置から配信されてもよく、供給者コンテンツを配信するサーバ装置から配信されてもよい。また、制御情報は、供給者ページに埋め込まれていてもよい。
【０１２２】
また、端末装置１００は、上述した表示態様を実現するアプリケーションをあらかじめダウンロードし、かかるアプリケーションを実行することで、上述した処理を実現してもよい。また、端末装置１００は、アプリケーションに対して、供給者コンテンツの配置位置や表示態様を変化させる制御情報の配信を受付けてもよい。
【０１２３】
〔７−３．供給者コンテンツの配信許諾について〕
ここで、情報提供装置１０は、供給者ページの配信先となる利用者が、供給者コンテンツの配信を所望する旨をあらかじめ登録している場合にのみ、供給者コンテンツを配信してもよい。また、情報提供装置１０は、供給者ページの配信先となる利用者が、予め供給者ページの配信態様に対するアンケートに協力する旨の許諾を行っている場合には、供給者コンテンツの配信後、所定のメールアドレスに供給者コンテンツについての各種評価を求めるアンケートをプッシュ配信してもよい。
【０１２４】
〔７−４．評価について〕
ここで、情報提供装置１０は、上述したアンケートの結果のみならず、配信先の利用者による供給者コンテンツへの評価を受付けてもよい。例えば、情報提供装置１０は、供給者ページに、供給者コンテンツに対する評価やコメントを入力するためのコンテンツを配置し、広く一般から評価を受付けてもよい。また、情報提供装置１０は、供給者コンテンツや供給者コンテンツに関するメッセージ等を各種ＳＮＳ等に投稿するためのコンテンツを供給者ページに配置してもよい。また、情報提供装置１０は、供給者コンテンツそのものに対する評価のみならず、供給者コンテンツが配置された供給者ページや供給者に対する評価を受付けてもよい。
【０１２５】
このような供給者コンテンツ、供給者ページおよび供給者に対する評価やＳＮＳへの投稿は、供給者コンテンツの訴求効果を示す指針となりうる。情報提供装置１０は、上述した各種評価や投稿の階数や内容、評価や投稿を行った利用者の属性等に基づくレポートを作成し、作成したレポートを供給者に対して提供してもよい。また、情報提供装置１０は、供給者コンテンツの閲覧回数、供給者コンテンツの表示回数、表示時間、再生回数、再生時間、再生位置等、供給者コンテンツに対する操作内容、供給者コンテンツが配置された供給者ページの滞在時間等をログとして取得し、ログに基づくレポートを供給者に対して提供してもよい。
【０１２６】
また、情報提供装置１０は、供給者コンテンツに対する各種操作内容のみならず、供給者ページに対する操作内容、供給者ページの表示時間、スクロール操作の回数、リロードした回数や、供給者コンテンツや供給者ページを特定する情報について端末装置１００からの発信操作（例えば、ＳＮＳへの書き込みなど）など、利用者が端末装置１００に対して行う種々の操作をログとして取得し、ログに基づくレポートを供給者に対して提供してもよい。また、このようなログは、供給者コンテンツそのものや供給者コンテンツが配置された供給者ページの広告効果を示す指標として用いられてもよい。
【０１２７】
〔７−５．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１２８】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１２９】
また、上記してきた各実施形態は、処理内容を矛盾させない領域で適宜組み合わせることが可能である。
【０１３０】
なお、情報提供装置１０や端末装置１００は、上述した任意の処理を適宜組み合わせて、実行してもよい。また、かかる組合せは、例えば、供給者コンテンツを供給者が登録する際に、どのような表示態様で供給者コンテンツを表示させるかを示す情報を合わせて登録することで、設定可能としてもよい。このような場合、情報提供装置１０は、供給者により設定内容に応じて、制御情報を生成し、生成した制御情報を配信すればよい。この結果、端末装置１００は、上述した任意の処理を組み合わせた態様で、供給者コンテンツを表示することができる。
【０１３１】
〔７−６．プログラム〕
また、上述してきた実施形態に係る情報提供装置１０や端末装置１００は、例えば図１０に示すような構成のコンピュータ１０００によって実現される。図１０は、ハードウェア構成の一例を示す図である。コンピュータ１０００は、出力装置１０１０、入力装置１０２０と接続され、演算装置１０３０、一次記憶装置１０４０、二次記憶装置１０５０、出力ＩＦ（Interface）１０６０、入力ＩＦ１０７０、ネットワークＩＦ１０８０がバス１０９０により接続された形態を有する。
【０１３２】
演算装置１０３０は、一次記憶装置１０４０や二次記憶装置１０５０に格納されたプログラムや入力装置１０２０から読み出したプログラム等に基づいて動作し、各種の処理を実行する。一次記憶装置１０４０は、ＲＡＭ等、演算装置１０３０が各種の演算に用いるデータを一次的に記憶するメモリ装置である。また、二次記憶装置１０５０は、演算装置１０３０が各種の演算に用いるデータや、各種のデータベースが登録される記憶装置であり、ＲＯＭ(Read  Only  Memory)、ＨＤＤ、フラッシュメモリ等により実現される。
【０１３３】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力ＩＦ１０７０は、マウス、キーボード、およびスキャナ等といった各種の入力装置１０２０から情報を受信するためのインタフェースであり、例えば、ＵＳＢ等により実現される。
【０１３４】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置であってもよい。また、入力装置１０２０は、ＵＳＢメモリ等の外付け記憶媒体であってもよい。
【０１３５】
ネットワークＩＦ１０８０は、ネットワークＮを介して他の機器からデータを受信して演算装置１０３０へ送り、また、ネットワークＮを介して演算装置１０３０が生成したデータを他の機器へ送信する。
【０１３６】
演算装置１０３０は、出力ＩＦ１０６０や入力ＩＦ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【０１３７】
例えば、コンピュータ１０００が端末装置１００として機能する場合、コンピュータ１０００の演算装置１０３０は、一次記憶装置１０４０上にロードされたプログラムを実行することにより、制御部１５０の機能を実現する。また、コンピュータ１０００が情報提供装置１０として機能する場合、コンピュータ１０００の演算装置１０３０は、一次記憶装置１０４０上にロードされたプログラムを実行することにより、制御部４０の機能を実現する。
【０１３８】
〔８．効果〕
上述したように、情報提供装置１０は、所定の取引対象を供給する供給者から、供給者コンテンツを受付ける。そして、情報提供装置１０は、所定の販売者により電子商店街に出品された取引対象のうち供給者コンテンツと関連する取引対象を示す情報である取引対象コンテンツが配置された対応コンテンツとともに表示されるコンテンツとして、供給者コンテンツを配信する。このため、情報提供装置１０は、電子商店街において供給者の意図を反映させたコンテンツを提供することができる。
【０１３９】
また、情報提供装置１０は、対応コンテンツとともに供給者と対応する供給者ページに配置されるコンテンツとして、供給者コンテンツを配信する。このため、情報提供装置１０は、電子商店街において供給者ページを閲覧する利用者に対し、供給者の意図を反映させたコンテンツを提供することができる。
【０１４０】
また、情報提供装置１０は、電子商店街に出品された取引対象のうち供給者コンテンツと関連する取引対象として電子商店街を運営する運営者により選択された取引対象、すなわち、選定対象を示す選定コンテンツとともに表示されるコンテンツとして、供給者コンテンツを配信する。また、情報提供装置１０は、電子商店街に出品された取引対象のうち供給者コンテンツと関連する取引対象として検索された取引対象を示す検索コンテンツとともに表示されるコンテンツとして、供給者コンテンツを配信する。このため、情報提供装置１０は、供給者コンテンツが伝えようとする情報と取引対象コンテンツが表示される取引対象との乖離を防ぐことができる。また、情報提供装置１０は、供給者コンテンツに対して興味を有する利用者に対し、供給者コンテンツと関連する取引対象を電子商店街で販売するコンテンツを円滑に提供することができる。
【０１４１】
また、情報提供装置１０は、供給者コンテンツを対応コンテンツよりも優先的に表示されるコンテンツとして配信する。例えば、情報提供装置１０は、供給者コンテンツと対応コンテンツとが配置される供給者ページのうち、配信時に表示される範囲、すなわち、初期表示される範囲に配置されるコンテンツとして、供給者コンテンツを配信する。また、情報提供装置１０は、例えば、供給者コンテンツと対応コンテンツとが配置されるコンテンツのうち、配信時に表示される範囲よりも表示サイズが大きい態様で、供給者コンテンツを配信する。このため、情報提供装置１０は、供給者ページを閲覧する利用者に対してまず供給者コンテンツを提供し、その後、取引対象コンテンツを提供するので、供給者コンテンツと関連する取引対象の販売機会を促進することができる。
【０１４２】
また、情報提供装置１０は、供給者コンテンツが表示された際に利用者が所定の操作を行った場合には、対応コンテンツが表示されるように、供給者コンテンツを配信する。例えば、情報提供装置１０は、利用者が所定の操作を行うまでは供給者コンテンツのみを表示し、その利用者が所定の操作を行った場合には、対応コンテンツを表示するように、供給者コンテンツを配信する。このため、情報提供装置１０は、供給者コンテンツに対して興味を有する利用者に、関連する取引対象の取引対象コンテンツを提供するので、供給者コンテンツと関連する取引対象の販売機会を促進することができる。
【０１４３】
また、情報提供装置１０は、複数の供給者コンテンツを受付けし、複数の供給者コンテンツのうち、配信先となる利用者の属性に応じて選択された供給者コンテンツを配信する。このため、情報提供装置１０は、利用者が興味を有する可能性がより高い供給者コンテンツを配信できる。
【０１４４】
また、情報提供装置１０は、対応コンテンツとして、電子商店街に出品された取引対象のうち供給者コンテンツと関連する取引対象であって、配信先となる利用者の属性に応じて選択された取引対象を示す取引対象コンテンツを配信する。このため、情報提供装置１０は、取引対象の販売機会を促進することができる。
【０１４５】
また、情報提供装置１０は、複数の供給者コンテンツを受付し、カルーセル表示されるコンテンツとして、複数の供給者コンテンツを配信する。また、情報提供装置１０は、複数の供給者コンテンツのうち画面上に表示された供給者コンテンツと関連する取引対象を示す情報が配置された対応コンテンツを取得して表示する端末装置１００に対し、複数の供給者コンテンツを配信する。このため、情報提供装置１０は、利用者が選択した供給者コンテンツと関連する取引対象の取引対象コンテンツを提供するので、取引対象の販売機会を促進することができる。
【０１４６】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１４７】
また、上記してきた「部（section、module、unit）」は、「手段」や「回路」などに読み替えることができる。例えば、配信部は、配信手段や配信回路に読み替えることができる。
【符号の説明】
【０１４８】
１０  情報提供装置
２０  通信部
３０  記憶部
４０  制御部
４１  登録部
４２  受付部
４３  選択部
４４  検索部
４５  配信部
１００  端末装置
２００  供給者端末
３００  販売者端末
【図１】
2018194972.tif 000003
【図２】
2018194972.tif 000004
【図３】
2018194972.tif 000005
【図４】
2018194972.tif 000006
【図５】
2018194972.tif 000007
【図６】
2018194972.tif 000008
【図７】
2018194972.tif 000009
【図８】
2018194972.tif 000010
【図９】
2018194972.tif 000011
【図１０】
2018194972.tif 000012